(57)【要約】【課題】電子機器及び表示制御方法を提供する。【解決手段】実施形態の電子機器は、入力部と、判定部と、映像信号処理部と、を具備する。前記入力部は、再生信号を受け付ける。前記判定部は、前記入力部が受け付けた前記再生信号のうちの音声信号の特性を判定する。前記映像信号処理部は、前記判定部が判定した前記音声信号の特性に基づいて前記入力部が受け付けた前記再生信号のうちの映像信号に対する映像信号処理を変える。【選択図】図１
2018078507.tif 000002
【特許請求の範囲】
【請求項１】
再生信号を受け付ける入力部と、
前記入力部が受け付けた前記再生信号のうちの音声信号の特性を判定する判定部と、
前記判定部が判定した前記音声信号の特性に基づいて前記入力部が受け付けた前記再生信号のうちの映像信号に対する映像信号処理を変える映像信号処理部と、
を具備する電子機器。
【請求項２】
前記判定部は、前記音声信号に対する圧縮処理の有無を判定する請求項１の電子機器。
【請求項３】
前記映像信号処理部は、前記判定部が前記音声信号に対して圧縮処理が実施されていると判定した場合に、前記映像信号処理部における鮮鋭化処理の程度、ノイズリダクション処理のレベル、輪郭補正もしくはγ特性の補正のうちの少なくとも１つを前記音声信号に対して圧縮処理が実施されていない場合に比較して強める請求項２記載の電子機器。
【請求項４】
前記映像信号処理部は、前記判定部が前記音声信号に対して圧縮処理が実施されていないと判定した場合に、前記映像信号処理部における鮮鋭化処理の程度、ノイズリダクション処理のレベル、輪郭補正もしくはγ特性の補正のうちの少なくとも１つを前記音声信号に対して圧縮処理が実施されている場合に比較して強める請求項２記載の電子機器。
【請求項５】
前記映像信号に対応する画像を表示する表示部をさらに具備する請求項１、２、３、４のいずれかの電子機器。
【請求項６】
再生信号を受け付け、
受け付けた再生信号のうちの音声信号の特性を判定し、
判定した音声信号の特性に基づいて、受け付けた再生信号のうちの映像信号に対する映像信号処理を変える
表示制御方法。
【発明の詳細な説明】
【技術分野】
【０００１】
この発明は、電子機器及び表示制御方法に関する。
【背景技術】
【０００２】
コンテンツ（番組）の映像情報を表示する際、映像情報の特性に応じて画質を設定する技術が提案されている。
【先行技術文献】
【特許文献】
【０００３】
【特許文献１】特開２００８−１７２４０８号公報
【発明の概要】
【発明が解決しようとする課題】
【０００４】
上述した映像情報の特性としては、例えば映画やライブ映像のような撮影された映像をベースとした特性、例えばアニメーションやコンピュータグラフィックのような線と着色により描かれた映像をベースとした特性、あるいは主として文字列により構成される映像をベースとした特性、等がある。
【０００５】
上述したベースとなる映像の特性に加え、映像情報を表示する表示装置（電子機器）に映像情報を提供する映像供給方法に依存する特性が存在する。
【０００６】
しかしながら、視聴者が映像情報の特性を認識し、その特性に合わせて表示装置の表示方法を設定（最適化）することは、実質的に困難である。
【０００７】
この発明の目的は、映像情報の特性に基づいて、表示装置が表示する映像の画質を設定する電子機器及び表示制御方法を提供することである。
【課題を解決するための手段】
【０００８】
実施形態の電子機器は、入力部と、判定部と、映像信号処理部と、を具備する。前記入力部は、再生信号を受け付ける。前記判定部は、前記入力部が受け付けた前記再生信号のうちの音声信号の特性を判定する。前記映像信号処理部は、前記判定部が判定した前記音声信号の特性に基づいて前記入力部が受け付けた前記再生信号のうちの映像信号に対する映像信号処理を変える。
【図面の簡単な説明】
【０００９】
【図１】実施形態の電子機器（テレビジョン放送受信端末）の要部の一例を示す概略図。
【図２】実施形態の電子機器における映像情報の特性の判定方法の一例をソフトウェア的に示す概略図。
【図３】実施形態の電子機器における映像情報の特性と特性毎の設定画質の一例を示す概略図。
【発明を実施するための形態】
【００１０】
以下、図面を参照して、実施の一形態について説明する。
【００１１】
図１は、実施形態に係わる電子機器、例えばテレビジョン放送受信端末（以下テレビジョン装置と称する）の要部を説明する概略ブロック図である。
【００１２】
図１が示すテレビジョン装置１００は、空間波による伝送（放送）やネットワークを経由した配信により供給される番組（コンテンツと称する場合もある）のうちの視聴者（ユーザ）が選択した番組を受信して再生する。なお、番組（コンテンツ）の取得は、例えばコンテンツサーバ（番組提供元）へのアクセス（参照と選択的な取得（ダウンロード））等であってもよい。また、以下に説明する個々の要素や構成は、マイクロコンピュータ（処理装置、ＣＰＵ（Central Processing Unit））によりソフトウェアで実現するものであってもよいし、ハードウェアで実現するものであってもよい。なお、番組は、ストリームあるいは情報と称する場合もあり、映像及び映像に付属する音声あるいは音楽、等からなる。また、映像は、動画と静止画あるいはテキスト（コード化された符号列で示される文字や記号等で表される情報）ならびにその任意の組み合わせを含む。
【００１３】
テレビジョン装置１００は、ＢＳ／ＣＳデジタル放送受信用の受信用のアンテナ１１５が受信し、入力端子１０１を経由してチューナ１０２ａに入力する衛星デジタルテレビジョン放送信号、あるいは地上波放送受信用のアンテナ１１６が受信し、入力端子１０３を経由してチューナ１０４ａに入力する地上デジタルテレビジョン放送信号から任意のチャンネルのテレビジョン放送すなわち番組（コンテンツ）を再生する。
【００１４】
チューナ１０２ａは、制御部１０５からの制御信号に基づいて所望のチャネルの放送信号を選局し、選局したチャンネルの放送信号をＰＳＫ（Phase Shift Keying）復調器１０２ｂに出力する。ＰＳＫ復調器１０２ｂは、制御部１０５からの制御信号に基づいて、チューナ１０２ａが選局した放送信号を復調し、所望の番組を含んだトランスポートストリーム（ＴＳ）を抽出して、ＴＳ復号器１０２ｃに出力する。ＴＳ復号器１０２ｃは、制御部１０５からの制御信号に基づいてトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１０６内の図示しないＳＴＤバッファへ出力する。ＴＳ復号器１０２ｃはまた、放送信号が含むセクション情報を信号処理部１０６内の図示しないセクション処理部へ出力する。
【００１５】
チューナ１０４ａは、制御部１０５からの制御信号に基づいて所望のチャネルの放送信号を選局する。チューナ１０４ａは、選局したチャンネルの放送信号をＯＦＤＭ（Orthogonal Frequency Division Multiplexing）復調器１０４ｂに出力する。ＯＦＤＭ復調器１０４ｂは、制御部１０５からの制御信号に基づいて、チューナ１０４ａが選局したチャンネルの放送信号を復調し、所望の番組を含んだトランスポートストリームを抽出して、ＴＳ復号器１０４ｃに出力する。ＴＳ復号器１０４ｃは、制御部１０５からの制御信号に基づいてトランスポートストリーム（ＴＳ）多重化された信号のＴＳ復号処理を行い、所望の番組のデジタルの映像信号及び音声信号をデパケットすることにより得たＰＥＳを、信号処理部１０６内の図示しないＳＴＤバッファへ出力する。ＴＳ復号器１０４ｃはまた、放送信号が含むセクション情報を信号処理部１０６内の図示しないセクション処理部へ出力する。
【００１６】
なお、信号処理部１０６には、入力端子１１５ａ、１１５ｂ、１１５ｃを通じて外部入力信号が入力可能である。外部入力信号の供給元としては、例えばＳＴＢ（Set Top Box（外部チューナと称する場合もある））、映像記録再生装置（レコーダと称する場合もある）、映像再生装置（プレーヤと称する場合もある）もしくはビデオカメラ装置、等、任意である。特に、ビデオカメラ装置は、カメラ装置としての形態に支配されるものではなく、画像撮影が可能な携帯可能な端末装置、例えばタブレットＰＣ（Personal Computer）装置やスマートフォン、等であってもよい。信号処理部１０６はまた、入力端子１１５ａ、１１５ｂ、１１５ｃから供給されたデジタル（またはアナログ）の映像信号及び音声信号をデコード処理や高画質化・高音質化処理することができる。但し、入力信号がアナログ信号である場合は、図示しないＡ−Ｄ（Analog to Digital）変換回路にてＡ−Ｄ変換した後、信号処理部１０６に入力される。
【００１７】
信号処理部１０６は、テレビジョン装置１００が受信中の（放送中の）番組の視聴時には、ＴＳ復号器１０２ｃおよびＴＳ復号器１０４ｃからそれぞれ供給されるデジタルの映像信号及び音声信号に対して選択的に所定のデジタル信号処理を施し、グラフィック処理部１０７及び音声処理部１０８に出力する。一方、番組録画時には、ＴＳ復号器１０２ｃおよびＴＳ復号器１０４ｃからそれぞれ供給されたデジタルの映像信号及び音声信号に対して選択的に所定のデジタル信号処理を施した信号を、制御部１０５を介して記憶部（例えば、ＨＤＤ（Hard Disk Drive））１７０に記億する。また、信号処理部１０６は、録画番組再生時には、制御部１０５を介して記憶部１７０から読み出した録画番組のデータに所定のデジタル信号処理を施し、グラフィック処理部１０７及び音声処理部１０８に出力する。
【００１８】
制御部１０５には、信号処理部１０６から、番組を取得するための各種データ（Ｂ−ＣＡＳデスクランブル用の鍵情報等）や電子番組ガイド（ＥＰＧ）情報、組属性情報（番組ジャンル等）、字幕情報等（サービス情報、ＳＩやＰＳＩ）が入力される。制御部１０５は、これら入力された情報からＥＰＧ、字幕を表示するため画像生成処理を行い、この生成した画像情報をグラフィック処理部１０７へ出力する。
【００１９】
制御部１０５はまた、番組録画および番組予約録画を制御する機能を有する。例えば、番組予約受付時には、ディスプレイ（表示部）１１４に電子番組ガイド（ＥＰＧ）情報を表示するための表示信号をグラフィック処理部１０７に出力し、操作部１２０またはリモートコントローラ１２１による視聴者入力（ユーザ指示）に基づく予約内容を所定の記憶手段に設定する。そして、設定された時刻に予約番組を録画するようチューナ１０２ａ、１０４ａ、ＰＳＫ復調器１０２ｂ、ＯＦＤＭ復調器１０４ｂ、ＴＳ復号器１０２ｃ、１０４ｃおよび信号処理部１０６を制御する。
【００２０】
信号処理部１０６内の図示しないセクション処理部は、ＴＳ復号器１０２ｃあるいは１０４ｃから入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部１０５へ出力する。
【００２１】
グラフィック処理部１０７は、信号処理部１０６内の図示しないＡＶデコーダが出力するデジタルの映像信号と、ＯＳＤ（On Screen Display）処理部１０９が生成するＯＳＤ信号と、データ放送による画像データと、制御部１０５が生成するＥＰＧ／字幕信号と、を合成して映像処理部１１０へ出力する。グラフィック処理部１０７はまた、字幕放送による字幕を表示する場合、制御部１０５からの制御に基づき、映像信号に字幕情報（字幕映像）を重畳する処理を行う。
【００２２】
グラフィック処理部１０７から出力されたデジタルの映像信号は、映像処理部１１０に供給される。映像処理部１１０は、入力されたデジタルの映像信号をディスプレイ１１４が表示可能なデジタル映像信号もしくは出力端子１１１を介して接続する外部機器が表示可能なフォーマットの表示信号に変換し、ディスプレイ１１４もしくは出力端子１１１に出力する。
【００２３】
音声処理部１０８は、入力されたデジタルの音声信号を、スピーカ１１３で再生可能なフォーマットのアナログ音声信号に変換した後、スピーカ１１３もしくは出力端子１１２を介して接続される外部機器、例えば音響再生装置（例えば、多チャンネルスピーカシステム）に出力する。なお、音響再生装置が後段に説明するＨＤＭＩ（登録商標）経由で音響信号（Audio）を受け取ることができる場合には、音響再生装置がＨＤＭＩ端子１３６と接続されてもよい。
【００２４】
テレビジョン装置１００は、上記した各種の受信動作を含むその全ての動作を制御部１０５によって統括的に制御されている。制御部１０５は、ＣＰＵ（Central Processing Unit）と、ＣＰＵが実行する制御プログラムを格納したＲＯＭ（Read Only Memory）１０５ａと、ＣＰＵに作業エリアを提供するＲＡＭ（Random Access Memory）１０５ｂと、各種の設定情報及び制御情報等が格納される不揮発性メモリ１０５ｃと、を含む。
【００２５】
制御部１０５は、操作部１２０からのユーザ指示入力に対応する操作情報、あるいはリモートコントローラ１２１からのユーザ指示入力を受信部１２２において受け付けた操作情報に基づいて、各部を制御する。
【００２６】
制御部１０５はまた、通信Ｉ／Ｆ（Inter Face）１３１を介してＬＡＮ端子１３２と接続し、ＬＡＮ端子１３２と接続する任意のＬＡＮ対応の機器との間で、情報の受け渡しを行う。
【００２７】
制御部１０５はさらに、ＵＳＢ（Universal Serial Bus）規格に準拠するＵＳＢ  Ｉ／Ｆ１３３を介してＵＳＢ端子１３４と接続し、ＵＳＢ端子１３４と接続するＵＳＢ規格の下で動作する各種ＵＳＢ機器（例えばＵＳＢ接続のＨＤＤやメモリカード）との間で、情報の受け渡しを行う。
【００２８】
制御部１０５はまた、カードＩ／Ｆ１４１を介してメモリカード１４３が装着可能なカードホルダ１４２と接続し、カードホルダ１４２に装着されるメモリカード１４３との間で、情報の受け渡しを行う。
【００２９】
また、制御部１０５は、High-definition Digital Media Interface（ハイディフィニションデジタルメディアインタフェース（以下ＨＤＭＩ（登録商標）と略称する））規格に準拠するＨＤＭＩ１３５を介してＨＤＭＩ端子１３６と接続する。これにより制御部１０５は、ＨＤＭＩ端子１３６と接続する任意のＨＤＭＩ対応機器との間の情報（映像信号、オーディオ信号及び制御信号）の受け渡し（送信と受信と）が可能である。
【００３０】
制御部１０５はさらに、表示制御処理ブロック１０５ｄと、表示画質判定部１０５ｅと、を含む。表示制御処理ブロック１０５ｄは、表示画質判定部１０５ｅによる表示画質判定結果に基づいて、映像処理部１１０が出力映像信号（ディスプレイ１１４または出力端子１１１に出力する表示信号）に反映するノイズリダクション処理のレベルや鮮鋭化（ナイキスト周波数以上の情報を再現する超解像処理を含む）処理の程度、輪郭補正もしくはγ特性の補正のうちの少なくとも１つを設定する。なお、表示制御処理ブロック１０５ｄにおける表示制御処理すなわち出力映像信号に反映するノイズリダクション処理や鮮鋭化処理、輪郭補正もしくはγ特性の補正は、ハードウェアにより実行するものであってもよいし、ソフトウェアで実行するものであってもよい。
【００３１】
なお、表示画質判定部１０５ｅは、制御部１０５による制御の下で、ＨＤＭＩ端子１３６と接続する機器がプレーヤ（再生装置）もしくはレコーダ（記憶再生装置）である場合に、これから再生しようとしている光ディスク（記憶媒体）への情報記憶時の記憶方式を推定（判定）する。光ディスクとしては、例えばＢＤ（Blu-ray（登録商標）Disc／ブルーレイディスク）規格やＤＶＤ（Digital Versatile Disk）規格に準拠する光ディスクが利用可能である。表示制御処理ブロック１０５ｄは、表示画質判定部１０５ｅが推定した記憶方法に基づいて、制御部１０５による制御の下で、ディスプレイ１１４または出力端子１１１へ出力する出力映像信号の表示画質を設定する。
【００３２】
図２は、実施形態に係わる電子機器において映像情報の特性を判定（推定）して、その推定結果に基づいて表示画質を設定する方法の一例を示すフローチャートである。
【００３３】
ＨＤＭＩ端子１３６からＨＤＭＩ１３５を介して入力する再生信号（映像（Video）及び音響（Audio））を受け付け（ステップ１１）、受け付けた再生信号のうちの音響信号（Audio）に適用されている音声コーデック（CODEC）が第１の方式、例えばＡＡＣ（Advanced Audio Coding）であるか否かを判定する（ステップ１２）。なお、音声コーデックにＡＡＣを用いることは、社団法人電波産業会、すなわちＡＲＩＢ（Association of Radio Industries and Businesses）が規定する標準規格におけるデジタル放送の音声符号化方式に準拠している。
【００３４】
音声コーデックがＡＡＣである場合（ステップ１２−ＹＥＳ）、表示制御処理ブロック１０５ｄにおいて、画質設定を、「放送コンテンツ」用に設定する（ステップ１３）。
【００３５】
音声コーデックが第２の方式、例えば非圧縮系のＰＣＭ（Pulse Coded Module）である場合（ステップ１２−ＮＯ）、表示制御処理ブロック１０５ｄにおいて、画質設定を、「パッケージメディア」用に設定する（ステップ１４）。
【００３６】
なお、「放送コンテンツ」用画質設定とは、放送（あるいは配信）により提供される番組（コンテンツ）を、レコーダにより記憶媒体、例えば光ディスクに記憶した（書き込んだ）情報の再生時に適用する画質設定とする。また、「パッケージメディア」用画質設定とは、情報が光ディスクの成型時に光ディスクと一体的に形成されている（コンテンツ供給元（版権者）が販売もしくは有料賃貸を目的として作成したスタンプ方式の）光ディスクが保持する情報の再生時に適用する画質設定とする。
【００３７】
より詳細には、光ディスクが「放送コンテンツ」を保持している（レコーダにより情報が書き込まれた光ディスクである）場合、音響（音声）成分（Audio）は、音声コーデックとして、通常は、音声コーデックとしてＡＡＣが用いられている。一方、光ディスクが「パッケージメディア」である場合、光ディスクが保持している情報は、光ディスクの成型時に、例えばスタンプ方式により、（光ディスクに）一体的に記憶されている。このため、「パッケージメディア」が保持する映像信号は、圧縮の程度を抑え、高いダイナミックレンジを確保して記億されている場合が多い。また、音響信号は、ＰＣＭ方式を用い、非圧縮で記憶されている場合が多い。なお、パッケージメディアであっても情報が書き込また光ディスクである場合があるが、少なくとも音声信号が非圧縮で記録されている（非放送）コンテンツを保持した光ディスクについては、便宜上、パッケージメディアと称する。
【００３８】
すなわち、パッケージメディアと称する光ディスクが保持する情報は、例えば映画館での上映を目的として作成された映画や、コンサート会場において収録されたライブ映像である場合が多い。このためパッケージメディアと称する光ディスクが保持する情報のうちの音響信号は、ＰＣＭ方式を用い非圧縮で記憶されている、と推定できる。これに対し、番組を録画した（光ディスクに情報を書き込んだ）光ディスクにおいては、多くの場合、音声（音響）情報は、音声コーデック（CODEC）としてＡＡＣ（Advanced Audio Coding）が用いられている場合が多い。
【００３９】
従い、ＨＤＭＩ端子１３６からＨＤＭＩ１３５を経由して入力する映像信号について、音声（音響）情報に対する圧縮の有無、すなわち音声（音響）情報がＰＣＭ方式で記憶されているかＡＡＣを用いて（圧縮されて）記憶されているかを判定することで、映像情報の圧縮の程度を推定できる。なお、レコーダ装置において、記憶媒体が保持する情報が番組を録画したものである場合には、音声（音響）情報は、情報量を圧縮する何らかの音声コーデックにより、情報が圧縮されている。
【００４０】
図３は、音声コーデックの種類に対する出力映像信号の表示画質の関係を示す。
【００４１】
図３が示すように、パッケージメディア（光ディスクが保持する情報が、光ディスクの成型時に光ディスクと一体的に記憶されている）と判定できた（音声コーデックがＰＣＭである）コンテンツについては、再生映像に対する画質設定を、放送コンテンツ用（音声コーデックがＡＡＣである）に比較して、“ノイズリダクション”及び“輪郭補正”の程度を１段階または２段階、弱めるものとする。一方で、“鮮鋭化処理”については、微小信号領域から動作させることが好ましい。なお、“ダイナミックγ（γ補正）”については、映像信号から取得できる輝度信号のうちの最もレベルの低い信号と最もレベルの高い信号との間のダイナミックレンジに対応する範囲に設定することが好ましい。その場合、ディスプレイ１１４の照明装置の輝度についても、映像信号から取得できる輝度信号のうちのレベルの低い信号に対応する表示期間において、輝度を低減することが好ましい。なお、照明装置がディスプレイ１１４の表示領域を複数に分割して個別に照明できる場合、映像信号から取得できる輝度信号のうちのレベルの高い信号に対応する表示領域及び表示箇所において、輝度を増大することにより、一層、再生映像（表示映像）のダイナミックレンジを広げることができる。
【００４２】
すなわち、ＨＤＭＩ端子１３６から入力する再生信号入力（コンテンツ）がパッケージメディア（光ディスクに記憶された非放送）コンテンツと判定できた場合は、高画質映像のディテール情報を引き出すことに主眼を置いた再生とする。例えば、鮮鋭化（超解像）処理を、微小信号領域から動作させることにより、細かなテクスチャや、絵の描き込みによる筆のタッチや背景等を好適に再現することができる。また、放送コンテンツ（録画したコンテンツ）に比べてＳ／Ｎ（信号対ノイズ）比が高い場合が多いため、ノイズリダクションは、情報量重視の設定で動作させる。すなわち、圧縮の程度を抑え、弱いノイズリダクション動作にとどめる設定とする。これにより、例えば映画（コンテンツ）において、フィルムグレイン（質感）を確保することが可能となる（フィルムグレインを低減しすぎて作品の質感（雰囲気）が失われることを抑止できる）。
【００４３】
逆に、ＨＤＭＩ端子１３６から入力する再生信号入力が放送コンテンツを録画したコンテンツと判定できた場合は、ＭＰＥＧ圧縮により輪郭線近傍に発生しやすいモスキートノイズを強調しないよう、“鮮鋭化（超解像）処理”において、輪郭線近傍を強調しない、等のノイズを考慮した処理を行う（パッケージメディア用に比較して程度を弱める）。なお、ノイズリダクションについては、ランダムノイズやモスキートノイズに対して重点的に動作させることで、Ｓ／Ｎ比の高いすっきりとした映像を提供することができる。
【００４４】
なお、図３が示す鮮鋭化処理の程度、ノイズリダクション処理のレベルや輪郭補正、もしくはγ特性の補正のそれぞれは、例えばメニュー画面から設定モードを起動してユーザ（視聴者）が任意に設定できることは、もちろんである。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１００…テレビジョン装置（電子機器）、１０５…制御部、１０５ｄ…表示制御処理ブロック、１０５ｅ…表示画質判定部、１１０…映像処理部、１１４…ディスプレイ（表示部）、１３５…ＨＤＭＩ（再生信号入力部）。
【図１】
2018078507.tif 000003
【図２】
2018078507.tif 000004
【図３】
2018078507.tif 000005